(57)【要約】  呼び出し制御方法及び通信端末である。該方法は、呼び出し待ちグループにおける各連絡先の連絡先情報に基づいて、順に連絡先を呼び出すこと、及び現在の呼び出しが失敗した場合、現在の呼び出しが失敗した連絡先の連絡先情報を呼び出し失敗グループに格納することを含む。【選択図】図５
2016503264.tif 000002
【特許請求の範囲】
【請求項１】
通信端末に適用される呼び出し制御方法であって、
呼び出し待ちグループにおける各連絡先の連絡先情報に基づいて、順に連絡先を呼び出すことと、
現在の呼び出しが失敗した場合、現在の呼び出しが失敗した連絡先の連絡先情報を呼び出し失敗グループに格納することとを含む呼び出し制御方法。
【請求項２】
前記呼び出し失敗グループと前記呼び出し待ちグループが一対一の対応関係である請求項１に記載の方法。
【請求項３】
前記呼び出し待ちグループにおける各連絡先の連絡先情報に基づいて、順に連絡先を呼び出す前、
少なくとも１つの連絡先の連絡先情報を取得すること、
各連絡先の連絡先情報に基づいてグループ化することを更に含む請求項１に記載の方法。
【請求項４】
前記連絡先情報はグループ化情報及び通信情報を含み、
前記各連絡先の連絡先情報に基づいてグループ化する方法は、
各連絡先のグループ化情報に基づいてグループ化し、グループ化情報が同一である連絡先の連絡先情報を１グループにグループ化することを含む請求項３に記載の呼び出し制御方法。
【請求項５】
現在の呼び出しが成功すると、現在の呼び出した連絡先が現在の呼び出し待ちグループの最後の一つの連絡先であるかどうかを判断し、そうであると、前記呼び出し失敗グループ中における連絡先を再度呼び出すことを更に含む請求項１〜４のいずれか一つに記載の呼び出し制御方法。
【請求項６】
前記呼び出し待ちグループ及び／又は前記呼び出し失敗グループ中における呼び出しが成功した連絡先の連絡先情報をクリアーすることを更に含む請求項５に記載の呼び出し制御方法。
【請求項７】
通信端末であって、
呼び出し待ちグループにおける各連絡先の連絡先情報に基づいて、順に連絡先を呼び出すように設定される呼び出しモジュールと、
現在の呼び出しが失敗した場合、現在の呼び出しが失敗した連絡先の連絡先情報を呼び出し失敗グループに格納するように設定される記憶モジュールとを含む通信端末。
【請求項８】
少なくとも１つの連絡先の連絡先情報を取得し、各連絡先の連絡先情報に基づいてグループ化するように設定される取得モジュールを更に含む請求項７に記載の通信端末
【請求項９】
前記連絡先情報はグループ化情報及び通信情報を含み、
前記取得モジュールは、
各連絡先のグループ化情報に基づいてグループ化し、グループ化情報が同一である連絡先の連絡先情報を１グループにグループ化するという方式で、各連絡先の連絡先情報に基づいてグループ化するように設定される請求項８に記載の通信端末。
【請求項１０】
現在の呼び出しが成功した場合、現在の呼び出した連絡先が現在の呼び出し待ちグループの最後の一つの連絡先であるかどうかを判断し、そうであると、前記呼び出しモジュールに前記呼び出し失敗グループ中における連絡先を再度呼び出すように通知するように設定される判断モジュールを更に含む請求項７〜９のいずれかに記載の通信端末。
【請求項１１】
前記呼び出し待ちグループ及び／又は前記呼び出し失敗グループ中における呼び出しが成功した連絡先の連絡先情報をクリアーするように設定されるクリアーモジュールを更に含む請求項１０に記載の通信端末。
【発明の詳細な説明】
【技術分野】
【０００１】
本発明は通信分野に関し、特に呼び出し制御方法及び通信端末に関する。
【背景技術】
【０００２】
ユーザは通信端末で複数の連絡先との通信を行う必要がある場合、従来の処理手段は、ユーザが連絡先と一人ずつ通信し、ターゲット連絡先が比較的少ない場合、このような通信負担が大きくないが、ターゲット連絡先が多すぎる場合、ユーザは、ターゲット連絡先の情報、該連絡先との通信が成功したか、及び該連絡先への再通信を必要とするか等の情報を逐一に取得して記録する必要があり、このように、ユーザは、多くの作業を行う必要があり、ユーザ体験を大幅に低下させる。
【発明の概要】
【発明が解決しようとする課題】
【０００３】
従来の通信の時、ユーザはターゲット連絡先との通信が成功したかを記録する必要がある問題、及びその位置に起因するユーザ体験低下の問題を解決するために、本発明の実施例呼び出し制御方法及び通信端末を提供する。
【課題を解決するための手段】
【０００４】
本発明の実施例は通信端末に適用される呼び出し制御方法を提供しており、
呼び出し待ちグループにおける各連絡先の連絡先情報に基づいて、順に連絡先を呼び出すこと、及び
現在の呼び出しが失敗した場合、現在の呼び出しが失敗した連絡先の連絡先情報を呼び出し失敗グループに格納することを含む。
【０００５】
呼び出し失敗グループと呼び出し待ちグループが一対一の対応関係であってもよい。
【０００６】
前記方法は、呼び出し待ちグループにおける各連絡先の連絡先情報に基づいて、順に連絡先を呼び出す前、
少なくとも１つの連絡先の連絡先情報を取得すること、
各連絡先の連絡先情報に基づいてグループ化することを更に含んでもよい。
【０００７】
前記連絡先情報はグループ化情報及び通信情報を含んでもよく、
各連絡先の連絡先情報に基づいてグループ化する方法は、
各連絡先のグループ化情報に基づいてグループ化し、グループ化情報が同一である連絡先の連絡先情報を１グループにグループ化することを含む。
【０００８】
上記方法は、
現在の呼び出しが成功すると、現在の呼び出した連絡先が現在の呼び出し待ちグループの最後の一つの連絡先であるかどうかを判断し、そうであると、呼び出し失敗グループ中における連絡先を再度呼び出すことを更に含んでもよい。
【０００９】
上記方法は、
呼び出し待ちグループ及び／又は呼び出し失敗グループ中における呼び出しが成功した連絡先の連絡先情報をクリアーすることを更に含んでもよい。
【００１０】
本発明の実施例は通信端末を更に提供しており、
呼び出し待ちグループにおける各連絡先の連絡先情報に基づいて、順に連絡先を呼び出すように設定される呼び出しモジュール、及び
現在の呼び出しが失敗した場合、現在の呼び出しが失敗した連絡先の連絡先情報を呼び出し失敗グループに格納するように設定される記憶モジュールを含む。
【００１１】
上記通信端末は、
少なくとも１つの連絡先の連絡先情報を取得し、各連絡先の連絡先情報に基づいてグループ化するように設定される取得モジュールを更に含んでもよい。
【００１２】
連絡先情報はグループ化情報及び通信情報を含んでもよく、
取得モジュールは、
各連絡先のグループ化情報に基づいてグループ化し、グループ化情報が同一である連絡先の連絡先情報を１グループにグループ化するという方式で、各連絡先の連絡先情報に基づいてグループ化するように設定されてもよい。
【００１３】
上記通信端末は、
現在の呼び出しが成功した場合、現在の呼び出した連絡先が現在の呼び出し待ちグループの最後の一つの連絡先であるかどうかを判断し、そうであると、呼び出しモジュールに呼び出し失敗グループ中における連絡先を再度呼び出すように通知するように設定される判断モジュールを更に含んでもよい。
【００１４】
上記通信端末は、
呼び出し待ちグループ及び／又は呼び出し失敗グループ中における呼び出しが成功した連絡先の連絡先情報をクリアーするように設定されるクリアーモジュールを更に含んでもよい。
【発明の効果】
【００１５】
本発明の実施例に係る技術的解決手段によれば、ユーザが複数のターゲット連絡先への呼び出しを行う時、呼び出しが失敗した連絡先の連絡先情報を呼び出し失敗グループに自動的に添加し、ユーザがどの連絡先の呼び出しが失敗したかを記録することを避け、ユーザ体験を向上させ、呼び出す必要がある連絡先への呼び出しが全部完了した後、呼び出し失敗グループ中に記憶されている連絡先を自動的に呼び出し、ユーザが選択したすべてのターゲット連絡先を呼び出すという効果を達成する。
【図面の簡単な説明】
【００１６】
【図１】図１は本発明の一実施例に係る通信端末の模式図である。
【図２】図２は本発明の一実施例に係る通信端末の模式図である。
【図３】図３は本発明の一実施例に係る通信端末の模式図である。
【図４】図４は本発明の一実施例に係る通信端末の模式図である。
【図５】図５は本発明の一実施例に係る呼び出し制御方法の模式図である。
【図６】図６は本発明の一実施例に係る通信端末の模式図である。
【図７】図７は本発明の一実施例に係る呼び出し制御方法の模式図である。
【発明を実施するための形態】
【００１７】
以下、図面を参照しながら本発明の実施例を詳細に説明する。ただし、衝突がない場合、本願における実施例及び実施例における特徴は互いに任意に組み合せることができる。
【００１８】
本発明の実施例は、呼び出し制御方法及び通信端末を提供しており、関連技術によるユーザが複数の連絡先への呼び出しを行う時に現在の連絡先の呼び出し状況を記録する必要があるという問題を解決することに用いられ、各連絡先の呼び出し状況を自動的に記録する機能を実現し、ユーザ体験を向上させる。
【００１９】
図１は本発明の一実施例に係る通信端末の模式図であり、図１から明らかなように、該実施例では、本発明の実施例に係る通信端末１は呼び出しモジュール１１及び記憶モジュール１２を含み、そのうち、
呼び出しモジュール１１は、呼び出し待ちグループにおける各連絡先の連絡先情報に基づいて、順に連絡先を呼び出すことに用いられ、該呼び出し待ちグループはユーザが呼び出す各ターゲット連絡先の連絡先情報を記憶しているグループを指し、
記憶モジュール１２は、現在の呼び出しが失敗した場合、現在の呼び出しが失敗した連絡先の連絡先情報を呼び出し失敗グループに格納することに用いられ、該呼び出し失敗グループはユーザの呼び出しが失敗した各ターゲット連絡先の連絡先情報を記憶しているグループを指し、格納方式は、現在の呼び出しが完了した場合、現在の連絡先への呼び出しが失敗した（例えば、電話がつながらない、ショートメッセージの送信が失敗したなどの場合）と判断したとき、該連絡先の連絡先情報を呼び出し失敗グループに格納することであってもよく、格納方式は、所定の数Ｎ（Ｎ≧１）個の連絡先への呼び出しを行った後、このＮ個の連絡先における呼び出しが失敗したすべての連絡先の連絡先情報を呼び出し失敗グループに加えることであってもよい。
【００２０】
上記実施例における呼び出し失敗グループと呼び出し待ちグループが一対一の対応関係であってもよく、すなわち、１つの呼び出し待ちグループと対応する呼び出し失敗グループが唯一であり、又は複数の呼び出し待ちグループが共通の呼び出し失敗グループに対応し、又は１つの呼び出し待ちグループが同時に複数の呼び出し失敗グループに対応し、この場合、呼び出し失敗グループは、１回呼び出し失敗グループ（呼び出しが１回失敗した連絡先を記憶する）、２回呼び出し失敗グループ（呼び出しが２回失敗した連絡先を記憶する）等であってもよく、これによって類推する。
【００２１】
図２は本発明の一実施例に係る通信端末の模式図であり、図２から明らかなように、本実施例は、図１に示す実施例を基礎として、連絡先の連絡先情報を導入する機能を実現する取得モジュール１３を加え、取得モジュール１３は少なくとも１つの連絡先の連絡先情報を取得し、且つ各連絡先の連絡先情報に基づいてグループ化することに用いられる。
【００２２】
上記実施例では、連絡先情報はグループ化情報及び通信情報を含んでもよく、該実施例における取得モジュール１３は、各連絡先のグループ化情報に基づいてグループ化し、且つグループ化情報が同一である連絡先の連絡先情報を１グループにグループ化することに用いられ、該グループ化情報は連絡先のアドレス情報、グループ情報及び／又は面接結果情報等の、各連絡先の異なる身元を区別するための情報を含む。例えば、グループ化する時、連絡先アドレス情報が同一または隣接する連絡先が所在するグループを１つの小さい呼び出し待ちグループと称し、もちろん、取得モジュール１３は各連絡先が所在するグループに基づいてグループ化してもよく、例えば、グループが「友達」である連絡先を１つの呼び出し待ちグループにクループ化し、グループが「同僚」である連絡先を１つの呼び出し待ちグループにグループ化し、又は面接結果が「面接通過」である連絡先を１つの呼び出し待ちグループにグループ化する。
【００２３】
図３は本発明の一実施例に係る通信端末の模式図であり、図３から明らかなように、本実施例は、図１に示す実施例を基礎として、判断機能を実現する判断モジュール１４を加え、判断モジュール１４は、現在の呼び出しが成功した場合、現在の呼び出した連絡先が現在の呼び出し待ちグループの最後の一つの連絡先であるかどうかを判断し、そうであると、呼び出しモジュール１１に呼び出し失敗グループ中における連絡先を再度呼び出すように通知することに用いられ、すなわち、判断モジュール１４は現在呼び出す連絡先が該呼び出し待ちグループの最後の一つの連絡先であると判断した場合、該連絡先への呼び出しが成功すると、該呼び出し待ちグループに対応する呼び出し失敗グループの呼び出しフローに自動的に入るように、呼び出しモジュール１１に通知する。
【００２４】
図４は本発明の一実施例に係る通信端末の模式図であり、図４から明らかなように、本実施例は、図１に示す実施例を基礎として、呼び出しが成功した連絡先の連絡先情報を削除する機能を実現するクリアーモジュール１５を加え、クリアーモジュール１５は、呼び出し待ちグループ及び／又は呼び出し失敗グループ中における呼び出しが成功した連絡先の連絡先情報をクリアーすることに用いられ、該クリアーモジュール１５が呼び出しの成功した連絡先の連絡先情報をクリアーするチャンスは、ある１つの連絡先への呼び出しが成功した場合、該連絡先の連絡先情報を直ちにクリアーすることであってもよく、該チャンスは、所定の数Ｎ（Ｎ≧１）個の連絡先への呼び出しを行った後、このＮ個の連絡先における呼び出しが成功したすべての連絡先の連絡先情報をクリアーすることであってもよい。
【００２５】
明らかに、上記すべての実施例が本発明の実施形態を説明するためのものに過ぎず、互いに衝突しない場合、上記すべての実施例における機能モジュールを組み合わせて得られたすべての実施形態は、いずれも本発明が保護を求める技術的解決手段である。
【００２６】
図５は本発明の一実施例に係る呼び出し制御方法の模式図であり、図５に示すように、１つの実施例では、本発明の実施例に係る呼び出し制御方法は、
呼び出し待ちグループにおける各連絡先の連絡先情報に基づいて、順に連絡先を呼び出すステップＳ５０１、
現在の呼び出しが失敗した場合、現在の呼び出しが失敗した連絡先の連絡先情報を呼び出し失敗グループに格納するステップＳ５０２、を含む。
【００２７】
呼び出し失敗グループと呼び出し待ちグループが一対一の対応関係であってもよく、又は複数の呼び出し待ちグループが共通の呼び出し失敗グループに対応してもよい。
【００２８】
ステップＳ５０１の前、該方法は、
少なくとも１つの連絡先の連絡先情報を取得すること、
各連絡先の連絡先情報に基づいてグループ化することを更に含んでもよい。
【００２９】
該連絡先情報はグループ化情報及び通信情報を含んでもよく、各連絡先の連絡先情報に基づいてグループ化する方法は、各連絡先のグループ化情報に基づいてグループ化し、グループ化情報が同一である連絡先の連絡先情報を１グループにグループ化することを含む。
【００３０】
上記実施例に係る呼び出し制御方法は、現在の呼び出しが成功すると、現在の呼び出した連絡先が現在の呼び出し待ちグループの最後の一つの連絡先であるかどうかを判断し、そうであると、呼び出し失敗グループ中における連絡先を再度呼び出すことを更に含んでもよい。
【００３１】
上記実施例に係る呼び出し制御方法は、現在の呼び出しが成功すると、ユーザに選択メニューを表示することを更に含んでもよく、該選択メニューが、呼び出し継続、呼び出し一時停止、及び呼び出し停止を含み、呼び出し継続はすなわち、端末装置が次の連絡先の呼び出しフローに自動的に入ることであり、呼び出し一時停止はすなわち、端末装置が現在の連絡先の連絡先情報または次の連絡先の連絡先情報を保存して呼び出しフローをログアウトすることであり、呼び出し停止はすなわち端末装置が呼び出しフローを直ちにログアウトする。
【００３２】
上記実施例に係る呼び出し制御方法は、呼び出し待ちグループ及び／又は呼び出し失敗グループ中における呼び出しが成功した連絡先の連絡先情報をクリアーすることを更に含んでもよい。
【００３３】
本発明の実施例に係る呼び出し制御方法を詳細に説明するために、以下、実際の応用、図６及び図７を参照しながら該方法を説明する。
【００３４】
図６は本発明の一実施例に係る通信端末の模式図であり、図６から明らかなように、該実施例では、本発明の実施例に係る通信端末１は、呼び出しモジュール１１、記憶モジュール１２、取得モジュール１３、判断モジュール１４及びクリアーモジュール１５を含み、各モジュールの機能を繰り返して説明せず、図７は本発明の一実施例に係る呼び出し制御方法の模式図であり、図７から明らかなように、該実施例では、本発明の実施例に係る呼び出し制御方法は、ステップＳ７０１〜ステップＳ７０９を含む。
【００３５】
ステップＳ７０１：連絡先を導入してグループ化する。
【００３６】
取得モジュール１３は少なくとも１つの連絡先の連絡先情報を取得し、各連絡先の連絡先情報中におけるグループ化情報（すなわち、連絡先アドレス情報またはグループ情報または面接結果情報等の連絡先と関連する情報）に基づいてグループ化する。例えば、宅配スタッフはパソコン（Ｐｅｒｓｏｎａｌ  Ｃｏｍｐｕｔｅｒ、ＰＣ）側から速達便を宅配する必要がある連絡先の連絡先情報を導入し、該連絡先情報中におけるグループ化情報（この場合連絡先アドレス情報）に基づいてグループ化し、位置が同一または接近する連絡先の連絡先情報を共通の呼び出し待ちグループに入れ、又はユーザはショートメッセージを送信する必要がある連絡先を連絡先情報中におけるグループ化情報（この場合、連絡先グループ情報）に基づいてグループ化し、グループが同一である連絡先の連絡先情報を共通の呼び出し待ちグループに入れる。
【００３７】
ステップＳ７０２：１つの呼び出し待ちグループ中における連絡先を選択して呼び出し操作を行う。
【００３８】
呼び出しモジュール１１は、１つの呼び出し待ちグループを選択し、該呼び出し待ちグループ中における各連絡先の連絡先情報に基づいて、順に連絡先を呼び出し、一番目の呼び出しオブジェクトは該呼び出し待ちグループの第一名の連絡先であってもよく、前回の呼び出しが一時停止された連絡先から呼び出し始めてもよい。
【００３９】
ステップＳ７０３：現在の呼び出しが成功したかどうかを判断し、成功していないと、ステップＳ７０４を実行し、成功すると、ステップＳ７０５を実行する。
【００４０】
ステップＳ７０４：記憶モジュール１２は現在の連絡先の連絡先情報を該呼び出し待ちグループに対応する呼び出し失敗グループに格納し、格納方式は、現在の呼び出し終わる後、現在の連絡先への呼び出しが失敗した（例えば、電話がつながらない、ショートメッセージの送信が失敗した等の場合）と判断したとき、該連絡先の連絡先情報を呼び出し失敗グループに格納することであってもよく、格納方式は、所定の数Ｎ（Ｎ≧１）個の連絡先への呼び出しを行った後、このＮ個の連絡先における呼び出しが失敗したすべての連絡先の連絡先情報を呼び出し失敗グループに加えることであってもよい。
【００４１】
ステップＳ７０５：現在呼び出した連絡先が該呼び出し待ちグループの最後の一つの連絡先であるかどうかを判断し、そうであると、ステップＳ７０６を実行し、そうではないと、ステップＳ７０７を実行する。
【００４２】
ステップＳ７０６：該呼び出し待ちグループに対応する呼び出し失敗グループにいずれかの連絡先の連絡先情報が存在するかを判断し、そうであると、ステップＳ７０８を実行し、そうではないと、ステップＳ７０９を実行する。
【００４３】
ステップＳ７０７：該呼び出し待ちグループ中における次の連絡先の呼び出しフローに入り、ステップＳ７０２に戻る。
【００４４】
ステップＳ７０８：該呼び出し待ちグループに対応する呼び出し失敗グループ中における連絡先の呼び出しフローに入り、該呼び出し失敗グループを新しい呼び出し待ちグループとし、該新しい呼び出し待ちグループにその対応する呼び出し失敗グループを新規作成し、該新しい呼び出し待ちグループ中における連絡先の呼び出しフローに入り、ステップＳ７０２に戻る。
【００４５】
ステップＳ７０９：該呼び出し待ちグループの連絡先のすべての呼び出しが成功し、フローが終わる。
【００４６】
上記実施例では、現在呼び出した連絡先への呼び出しが成功した（すなわち、ステップＳ７０３）と判断した後、上記方法は、
ユーザに選択メニューを表示し、ユーザの選択に従って操作を行うステップを含んでもよい。
【００４７】
該選択メニューは、呼び出し継続、呼び出し一時停止、及び呼び出し停止を含み、ユーザが呼び出し継続を選択した場合、端末装置は次の連絡先の呼び出しフローに自動的に入り、ユーザが呼び出し一時停止を選択した場合、端末装置は現在の連絡先の連絡先情報または次の連絡先の連絡先情報を保存して呼び出しフローをログアウトし、これは、突発状況が発生して通信を継続することができない場合に適し、ユーザが呼び出し停止を選択した場合、端末装置は呼び出しフローを直ちにログアウトする。
【００４８】
上記実施例では、現在呼び出した連絡先への呼び出しが成功した（すなわち、ステップＳ７０３）後、上記方法は、
呼び出し待ちグループ及び／又は呼び出し失敗グループ中における呼び出しが成功した連絡先の連絡先情報をクリアーすることを更に含む。
【００４９】
呼び出しが成功した連絡先の連絡先情報をクリアーするチャンスは、ある１つの連絡先への呼び出しが成功した場合、該連絡先の連絡先情報を直ちにクリアーすることであってもよく、該チャンスは、所定の数Ｎ（Ｎ≧１）個の連絡先への呼び出しを行った後、このＮ個の連絡先における呼び出しが成功したすべての連絡先の連絡先情報をクリアーすることであってもよく、呼び出しが成功した連絡先を削除することにより、通信端末のユーザが同一の連絡先に対して複数の呼び出しを行うことを避け、リソースを節約することができる。
【００５０】
本発明の実施例に係る技術的解決手段によれば、
１、ユーザが複数のターゲット連絡先への呼び出しを行う時、呼び出しが失敗した連絡先の連絡先情報を呼び出し失敗グループに自動的に添加し、ユーザがどの連絡先の呼び出しが失敗したかを記録することを避け、ユーザ体験を向上させ、
２、呼び出す必要がある連絡先への呼び出しが全部完了した後、呼び出し失敗グループ中に記憶されている連絡先を自動的に呼び出し、ユーザが選択したすべてのターゲット連絡先を呼び出すという効果を達成し、
３、呼び出しが成功した連絡先を削除することにより、通信端末のユーザが同一の連絡先に対して複数の呼び出しを行うことを避け、リソースを節約することができ、
４、呼び出しが成功した後、ユーザに選択メニューを提供し、ユーザが実際状況に基づいて多様化の選択を行い、ユーザ体験を向上させる。
【００５１】
一般の当業者は、上記方法における全部又は一部のステップをプログラムによって関連ハードウェアに命令を出して完成させることができ、前記プログラムはコンピュータ読み取り可能な記憶媒体、例えば読み取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はあらゆる特定形式のハードウェアとソフトウェアの組合せに限らない。
【００５２】
以上は本発明の好適な実施例に過ぎず、本発明を制限するものではなく、本発明の実施例の技術趣旨に基づいて上記の実施形態に対して行ったあらゆる変更、等価置換、改良等は、いずれも本発明の技術的解決手段の保護範囲に属する。
【産業上の利用可能性】
【００５３】
本発明の実施例に係る技術的解決手段によれば、ユーザ体験を向上させることができ、ユーザが選択したすべてのターゲット連絡先を呼び出すという効果を達成し、更に通信端末のユーザが同一の連絡先に対して複数の呼び出しを行うことを避け、リソースを節約することができる。
【図１】
2016503264.tif 000003
【図２】
2016503264.tif 000004
【図３】
2016503264.tif 000005
【図４】
2016503264.tif 000006
【図５】
2016503264.tif 000007
【図６】
2016503264.tif 000008
【図７】
2016503264.tif 000009
【国際調査報告】
2016503264.tif 000010
2016503264.tif 000011
2016503264.tif 000012
2016503264.tif 000013